(57)【要約】【課題】線材の太さが変わっても作業工数が掛かることなく容易に一定の張力とすることができ、また、使用中に常時一定の張力を保持することができ、この保持によって線材が細いサイズの場合でも断線したり、線材の表面塗装時に粘着断線を起こすといったことを防止することができる細線張力付加装置を提供する。【解決手段】線材Ｗが巻き取られた心線ボビン６を包み込む円筒ガイド９を設けた、この円筒ガイド９は、心線ボビン６に巻き取られた線材Ｗを送り出す穴状の線ガイド８と、この線ガイド８の穴と心線ボビン６との双方の縁に架かる線材Ｗの送り出し方向と逆方向の延長位置に穴が形成され、この穴に接続されたパイプ１２とを有する。このパイプ１２に吸引を行うブロワーを接続して、円筒ガイド９の内部が負圧となるように空気を吸引する。【選択図】図１
2004018162.tif 000002
【特許請求の範囲】
【請求項１】
ボビンに巻き取られた細線を、一定の張力を付加しながら送り出す細線張力付加装置において、
前記ボビンを包み込み、前記ボビンに巻き取られた細線を送り出す第１の穴と、この第１の穴と前記ボビンとの双方の縁に架かる細線の送り出し方向と逆方向の延長位置に形成された第２の穴とを有する円筒ガイドと、
前記第２の穴に接続され、前記円筒ガイドの内部が負圧となるように空気を吸引する吸引手段と、
を備えたことを特徴とする細線張力付加装置。
【請求項２】
前記吸引手段は、その吸引力を変化させる機能を有する
ことを特徴とする請求項１に記載の細線張力付加装置。
【発明の詳細な説明】
【０００１】
【発明の属する技術分野】
本発明は、細いサイズの線条体などに張力を付加する細線張力付加装置に関する。
【０００２】
【従来の技術】
従来の細線張力付加装置について図２を参照して説明する。図２（ａ）は従来の細線張力付加装置の平面図、（ｂ）は断面図である。
【０００３】
この図２に示す細線張力付加装置は、フレーム１と、フレーム１に取り付けられた円筒形状のスタンド２と、スタンド２内に取り付けられたプーリー３並びに線ガイド４と、ウイスカリング５と、上下に鍔が付いた円筒形状を成し、線材（細線）Ｗが巻き付けられた心線ボビン６と、平板形状の送り出しテーブル７とを備えて構成されている。
【０００４】
この構成要素から成る細線張力付加装置において、水平に設置された送り出しテーブル７の上には、軸を中心として水平方向に回転自在に心線ボビン６が載置されており、心線ボビン６に巻き付けられた線材Ｗが、心線ボビン６の上鍔に取り付けられたウイスカリング５を経由して線ガイド４の穴に通され、更にプーリー３の溝に沿ってスタンド２の外部へ導かれるようになっている。
【０００５】
ウイスカリング５は、心線ボビン６より送り出された線材Ｗに一定の張力をかけるために設けられているが、詳細には心線ボビン６の鍔の上面にあってナイロン糸２０をリング円周に等間隔に複数本貼り付けた構成となっており、ナイロン糸２０の弾力性を利用して線材Ｗに一定の張力を掛けている。但し、その張力は、線材Ｗの太さによって異なるので、ナイロン糸２０の本数や太さを変えて、一定の張力となるように調整している。
【０００６】
【発明が解決しようとする課題】
しかし、従来の細線張力付加装置においては、線材Ｗの太さが変わるたびにウイスカリング５のナイロン糸２０の本数や太さを変えて一定の張力としなければならないので、その分、作業工数が掛かるという問題がある。
【０００７】
また、使用しているうちにナイロン糸２０の弾力性が無くなって所定以外の張力となったり、ナイロン糸２０が破損して線材Ｗが引っ掛かり断線したりする問題がある。
【０００８】
また、ナイロン糸２０に線材Ｗが触れた場合に張力が掛かる構成となっているので、ナイロン糸２０と糸２０との間に線材Ｗが存在する場合、線材Ｗには張力が掛からない、このため線材Ｗに常時一定の張力が掛からないという問題がある。このよう常時一定の張力がかからない場合、線材Ｗが０．１ｍｍ以下の細いサイズであったりすると、微妙な張力変動によって断線したり、線材Ｗの表面塗装の際に粘着断線を起こしやすくなるという問題が生じる。
【０００９】
本発明は、かかる点に鑑みてなされたものであり、線材の太さが変わっても作業工数が掛かることなく容易に一定の張力とすることができ、また、使用中に常時一定の張力を保持することができ、この保持によって線材が細いサイズの場合でも断線したり、線材の表面塗装時に粘着断線を起こすといったことを防止することができる細線張力付加装置を提供することを目的とする。
【００１０】
【課題を解決するための手段】
上記課題を解決するために、本発明の細線張力付加装置は、ボビンに巻き取られた細線を、一定の張力を付加しながら送り出す細線張力付加装置において、前記ボビンを包み込み、前記ボビンに巻き取られた細線を送り出す第１の穴と、この第１の穴と前記ボビンとの双方の縁に架かる細線の送り出し方向と逆方向の延長位置に形成された第２の穴とを有する円筒ガイドと、前記第２の穴に接続され、前記円筒ガイドの内部が負圧となるように空気を吸引する吸引手段と、を備えたことを特徴としている。
【００１１】
また、前記吸引手段は、その吸引力を変化させる機能を有することを特徴としている。
【００１２】
【発明の実施の形態】
以下、本発明の実施の形態について、図面を参照して詳細に説明する。
【００１３】
（実施の形態）
図１（ａ）は、本発明の実施の形態に係る細線張力付加装置の構成を示す平面図、（ｂ）は断面図である。
【００１４】
この図１に示す細線張力付加装置は、フレーム１と、フレーム１に取り付けられた円筒形状のスタンド２と、スタンド２内に取り付けられたプーリー３並びに線ガイド４と、ウイスカリング５ａと、上下に鍔が付いた円筒形状を成し、線材（細線）Ｗが巻き付けられた心線ボビン６と、平板形状の送り出しテーブル７と、円筒の上部が円錐形状となった透明の円筒ガイド９とを備えて構成されている。
【００１５】
円筒ガイド９は、心線ボビン６に被せて送り出しテーブル７上に載置されるものであり、円錐形状先端に穴状の線ガイド８が設けられ、円筒部分側面下方にパイプ１２が内部空間部分と繋がって設けられている。また、円筒ガイド９を載置する際に、位置決めを容易にすると共に、円筒ガイド９がずれないようにするために、送り出しテーブル７上にストッパー１０が設けられている。
【００１６】
ストッパー１０は、円筒ガイド９の外周よりもやや大きい径の円を成しており、このストッパー１０には、円筒ガイド９と送り出しテーブル７との隙間から空気が入らないようにするためにゴムパッキン１１が取り付けられている。
【００１７】
また、パイプ１２には、円筒ガイド９の内部を負圧とするためのブロワー（図示せず）が取り付けられており、ブロワーの吸引力を変えることによって円筒ガイド９の内圧を自由に変化可能なようになっている。ブロワーの吸引力は、モータの回転数を変えるなどの機能によって変化される。
【００１８】
このような構成の細線張力付加装置において、心線ボビン６に巻き付けられた線材Ｗは、心線ボビン６の上鍔に取り付けられたウイスカリング５ａを介して線ガイド８の穴に通され、更に線ガイド４の穴に通されたのち、プーリー３の溝に沿ってスタンド２の外部へ導かれるようになっている。
【００１９】
この際、パイプ１２に取り付けられたブロワーの吸引動作によって、円筒ガイド９の内部の空気が吸引され負圧となるので、その内部の空気は矢印Ｙ１で示すように、線ガイド８の穴からパイプ１２方向へ流れる。つまり、線材Ｗの移動方向と逆方向に空気が流れるので、線材Ｗに一定の張力が掛かることになる。この張力は、円筒ガイド９内部の負圧力と比例するので、線材Ｗの太さが変わっても、その太さに応じてブロワーの吸引力を変えることで一定の張力を保持可能となる。
【００２０】
このように、本実施の形態の細線張力付加装置によれば、線材Ｗが巻き取られた心線ボビン６を包み込む円筒ガイド９を設けた、この円筒ガイド９は、心線ボビン６に巻き取られた線材Ｗを送り出す穴状の線ガイド８と、この線ガイド８の穴と心線ボビン６との双方の縁に架かる線材Ｗの送り出し方向と逆方向の延長位置に穴が形成され、この穴に接続されたパイプ１２とを有する。このパイプ１２に吸引を行うブロワーを接続して、円筒ガイド９の内部が負圧となるように空気を吸引するようにした。
【００２１】
これによって、円筒ガイド９の内部の空気が吸引され負圧になると、その内部の空気が線材Ｗの移動方向と逆方向に流れるので、線材Ｗに常時一定の張力を付加することができる。このように常時一定の張力を付加することができるので、線材Ｗが０．１ｍｍ以下のように細いサイズの場合でも、断線したり、線材の表面塗装時に粘着断線を起こすといったことを防止することができる。
【００２２】
また、線材Ｗの太さが変わっても、一定の張力となるようにブロワーの吸引力を変えればよいので、その作業が容易となり、作業工数を削減することができる。
【００２３】
【発明の効果】
以上説明したように、本発明によれば、ボビンに巻き取られた細線を、一定の張力を付加しながら送り出す細線張力付加装置において、ボビンを包み込み、ボビンに巻き取られた細線を送り出す第１の穴と、この第１の穴とボビンとの双方の縁に架かる細線の送り出し方向と逆方向の延長位置に形成された第２の穴とを有する円筒ガイドと、第２の穴に接続され、円筒ガイドの内部が負圧となるように空気を吸引する吸引手段とを備え、吸引手段で円筒ガイドの内部が負圧となるように空気を吸引し、その内部の空気が細線の移動方向と逆方向に流れ、細線に常時一定の張力が付加されるようにした。従って、線材の太さが変わっても作業工数が掛かることなく容易に一定の張力とすることができ、また、使用中に常時一定の張力を保持することができ、この保持によって線材が細いサイズの場合でも断線したり、線材の表面塗装時に粘着断線を起こすといったことを防止することができる。
【図面の簡単な説明】
【図１】（ａ）は本発明の実施の形態に係る細線張力付加装置の構成を示す平面図、（ｂ）は断面図である。
【図２】（ａ）は従来の細線張力付加装置の構成を示す平面図、（ｂ）は断面図である。
【符号の説明】
１　フレーム
２　スタンド
３　プーリー
４，８　線ガイド
５，５ａ　ウイスカリング
６　心線ボビン
７　送り出しテーブル
９　円筒ガイド
１０　ストッパー
１１　ゴムパッキン
１２　パイプ
２０　ナイロン糸
Ｙ１　空気流方向
Ｗ　線材
【図１】
2004018162.tif 000003
【図２】
2004018162.tif 000004